(57)【要約】【課題】  吹奏感が良好であり、かつ、消音効果が大きな消音器を提供する。【解決手段】  消音器１は、略円錐管状の胴部１１と胴部１１の大径側端１１ａに接合される皿状の底部１２とから構成される筐体と、排気パイプ２０とから構成される。排気パイプ２０は、上流部２１と膨張部２２と下流部２３とから構成され、膨張部２２の内径は上流部２１および下流部２３の内径よりも大きくなっている。膨張部２２は消音室として機能する。排気パイプ２０は、胴部１１の内部に収容され、底部１２の中心に設けられた貫通孔３３の縁に固定されている。消音器１をベル３に装着したとき、排気パイプ２０の軸がベル３の軸と平行になる。【選択図】図１
2015004755.tif 000002
【特許請求の範囲】
【請求項１】
貫通孔を有し、管楽器のベルに固定される筐体と、
両端が開口し、そのうちの一端が前記筐体の貫通孔に固定され、前記ベルの内側の空間と前記ベルの外側の空間とを連通させる中空の排気パイプと、
前記排気パイプの途中において前記排気パイプ内の断面積を拡大することにより形成してなるものであり、前記排気パイプ内の空間と連通する消音室と、
を具備することを特徴とする消音器。
【請求項２】
貫通孔を有し、管楽器のベルに固定される筐体と、
両端が開口し、そのうちの一端が前記筐体の貫通孔に固定され、前記ベルの内側の空間と前記ベルの外側の空間とを連通させる中空の排気パイプと、
前記排気パイプを取り囲む仕切られた空間である消音室と、を有し、
前記排気パイプ内の空間を前記消音室の内側空間に連通させる貫通孔を前記排気パイプの側面に有することを特徴とする消音器。
【請求項３】
前記筐体は、前端が閉塞し、後端が開口し、後端側から前記ベル内に挿入される中空の管体であり、
前記筐体の貫通孔は、前記筐体の前端を閉塞する閉塞部に設けられ、
前記排気パイプは、前記筐体内に収容されることを特徴とする請求項１または２に記載の消音器。
【請求項４】
前記消音室の内壁に吸音材を設けることを特徴とする請求項１から３のいずれか１の請求項に記載の消音器。
【請求項５】
前記筐体が前記ベルに固定されたときに前記排気パイプの軸が前記ベルの軸と略平行となることを特徴とする請求項１から４のいずれか１の請求項に記載の消音器。
【発明の詳細な説明】
【技術分野】
【０００１】
この発明は、消音器に関する。
【背景技術】
【０００２】
トランペットなどの管楽器の音量を少なくする目的で使用される消音器には、例えば、特許文献１に開示されているものがある。
【０００３】
図９は特許文献１の消音器の構成を示す縦断面図である。特許文献１の消音器Ａ１は、一方の底面が開口し他方の底面が閉口している円筒状の容器Ａ２と、底部が開口している円錐状の隔壁体Ａ１０とから構成されている。隔壁体Ａ１０は、容器Ａ２の内部に収容され、隔壁体Ａ１０の頂部Ａ１０ａが容器Ａ２の内壁Ａ２ａと当接しないように隔壁体Ａ１０の周縁部Ａ１０ｂが容器Ａ２の開口端Ａ７近傍の内壁に固定されている。容器Ａ２の開口端Ａ７には、容器Ａ２の内部を保護するサランＡ６が張設されており、隔壁体Ａ１０の内壁とサランＡ６とにより第１の消音室として機能する空洞Ａ１１が形成されている。また、容器Ａ２の内壁と隔壁体Ａ１０の外壁との間に第２の消音室として機能する空洞Ａ１３が形成されている。この消音器Ａ１は、固定具Ａ９により容器Ａ２の開口端Ａ７が管楽器のベルＡ８の端部Ａ８ａに固定される。ベルＡ８から消音器Ａ１の空洞Ａ１１（第１の消音室）に入った呼気は、隔壁体Ａ１０の頂部Ａ１０ａ近傍に設けられた通気孔Ａ１４を通って空洞Ａ１３（第２の消音室）に導かれ、空洞Ａ１３（第２の消音室）に導かれた呼気は、容器Ａ２の開口端Ａ７近傍に設けられた通気孔Ａ１５を通って消音器Ａ１の外部の空間に排出される。この消音器Ａ１は、第１および第２の消音室を設けることで、消音効果を大きくしている。
【先行技術文献】
【特許文献】
【０００４】
【特許文献１】特開昭５７−５３７９２号公報
【発明の概要】
【発明が解決しようとする課題】
【０００５】
しかし、特許文献１の消音器Ａ１は、消音器Ａ１の外部の空間へ排出されるまでの呼気の経路が複雑なため、呼気が滑らかに消音器の外部の空間へ排出されず、消音器Ａ１を管楽器に装着して吹奏したときに息詰まり感がある（すなわち、吹奏感が良くない）、という問題がある。
【０００６】
この発明は以上のような事情に鑑みてなされたものであり、吹奏感が良好であり、かつ、消音効果が大きな消音器を提供することを目的としている。
【課題を解決するための手段】
【０００７】
この発明は、貫通孔を有し、管楽器のベルに固定される筐体と、両端が開口し、そのうちの一端が前記筐体の貫通孔に固定され、前記ベルの内側の空間と前記ベルの外側の空間とを連通させる中空の排気パイプと、前記排気パイプの途中において前記排気パイプ内の断面積を拡大することにより形成してなるものであり、前記排気パイプ内の空間と連通する消音室と、を具備することを特徴とする消音器を提供する。
【０００８】
この発明によれば、ベルの内側の空間の呼気は、中空の排気パイプ内を通過してベルの外側の空間に排出される。また、ベルの内側の空間が排気パイプの途中において形成される消音室の内側空間に連通しているため、ベルの内側の空間において生じる音波は消音室の内側空間に導かれる。そして、消音室は排気パイプ内の断面積を拡大してなるものであるため、排気パイプ内の空間と消音室の内側空間との境界において音波の一部が反射し、消音室の内側空間において進行波と反射波とが干渉し、音波のエネルギーが減少する。従って、吹奏感が良好であり、かつ、消音効果が大きい消音器を実現することができる。
【０００９】
また、この発明は、貫通孔を有し、管楽器のベルに固定される筐体と、両端が開口し、そのうちの一端が前記筐体の貫通孔に固定され、前記ベルの内側の空間と前記ベルの外側の空間とを連通させる中空の排気パイプと、前記排気パイプを取り囲む仕切られた空間である消音室と、を有し、前記排気パイプ内の空間を前記消音室の内側空間に連通させる貫通孔を前記排気パイプの側面に有することを特徴とする消音器を提供する。
【００１０】
この発明によれば、ベルの内側の空間の呼気は、中空の排気パイプ内を通過してベルの外側の空間に排出される。また、排気パイプの側面に設けた貫通孔により排気パイプ内の空間と排気パイプを取り囲む仕切られた空間である消音室の内側空間とが連通しているため、貫通孔の径と消音室の容積とに基づいたヘルムホルツ共鳴が生じる。すなわち、ベルの内側の空間から排気パイプ内を通過してベルの外側の空間に放射される音波の音圧レベルは、ヘルムホルツ共鳴周波数の近傍において減衰する。従って、吹奏感が良好であり、かつ、消音効果が大きい消音器を実現することができる。
【図面の簡単な説明】
【００１１】
【図１】この発明の第１実施形態による消音器１の構成を示す縦断面図および正面図である。
【図２】この発明の第２実施形態による消音器１Ａの構成を示す縦断面図である。
【図３】この発明の第３実施形態による消音器１Ｂの構成を示す透視斜視図である。
【図４】この発明の第４実施形態による消音器１Ｃの構成を示す透視斜視図である。
【図５】この発明の変形例（２）による消音器１Ｄの構成を示す縦断面図である。
【図６】この発明の変形例（３）による消音器１Ｅの構成を示す縦断面図である。
【図７】この発明の変形例（４）による消音器１Ｆの構成を示す縦断面図である。
【図８】この発明の変形例（５）による消音器１Ｇの構成を示す縦断面図である。
【図９】特許文献１の消音器の構成を示す縦断面図である。
【発明を実施するための形態】
【００１２】
以下、図面を参照し、この発明の実施形態について説明する。
＜第１実施形態＞
図１（Ａ）は、この発明の第１実施形態による消音器１の構成を示す縦断面図であり、図１（Ｂ）は、同正面図である。本実施形態による消音器１は、トランペット用の消音器１であり、図１は、消音器１をトランペットに装着した状態を示す。本実施形態による消音器１は、胴部１１と底部１２とからなる筐体の内部に膨張部２２を有する排気パイプ２０を設けることにより吹奏感を良好にしつつ消音効果を大きくしたものである。筐体および排気パイプ２０は、例えば、プラスチックを成形してなるものである。
【００１３】
胴部１１は、内部に空洞１３を有する円錐管状の管体である。この胴部１１は、前端である大径側端１１ａから後端である小径側端１１ｂに向かってトランペットのベル３の内壁に沿うようにして外径および内径が小さくなっており、後端である小径側端１１ｂは開口している。小径側端１１ｂ近傍の胴部１１の外側面には、柔軟な素材からなる取り付け部１４が設けられている。消音器１は、後端である小径側端１１ｂ側からトランペットのベル３内に挿入される。そして、取り付け部１４がベル３の内壁に当接することにより、胴部１１は、ベル３の内壁に固定される。
【００１４】
底部１２は、皿状であり、皿の底の部分が胴部１１の軸近傍に位置している。また、底部１２は、皿の縁の部分が、胴部１１の大径側端１１ａと接着剤等により接合されている。すなわち、底部１２は、前端である大径側端１１ａを閉塞する閉塞部としての役割を果たす。また、底部１２は、胴部１１がトランペットのベル３の内壁に固定されたときにベル３の端面近傍に位置する。より詳細には、底部１２と胴部１１の接合部近傍がベル３の端面に位置し、底部１２は、当該底部１２が湾曲している分だけベル３の端面よりも外側（前方側）に突出する。
【００１５】
排気パイプ２０は、上流部２１と下流部２３とこれら上流部２１と下流部２３の間の膨張部２２とから構成されている。上流部２１、膨張部２２および下流部２３は、各々中空の円筒形状をなしており、上流部２１、膨張部２２および下流部２３の各々の軸は、同一直線上にある。上流部２１の軸方向の長さは下流部２３の軸方向の長さよりも長くなっている。上流部２１の内径と下流部２３の内径は同じであり、トランペットのマウスピースの最小内径と同径以上である。膨張部２２の内径は上流部２１および下流部２３の内径よりも大きくなっている。また、膨張部２２の軸方向の長さは膨張部２２の内径よりも大きくなっている。上流部２１および下流部２３は、各々両端が開口している。すなわち、排気パイプ２０の両端は開口している。膨張部２２の上流端２２ａは、上流部２１の内径と同径の貫通孔３１を残して閉塞しており、貫通孔３１の縁は上流部２１の下流端２１ｂに連続している。膨張部２２の下流端２２ｂは、下流部２３の内径と同径の貫通孔３２を残して閉塞しており、貫通孔３２の縁は下流部２３の上流端２３ａに連続している。従って、貫通孔３１および３２を介して上流部２１、膨張部２２および下流部２３の各々の内側の空間は連通しており、排気パイプ２０の内壁により囲まれた断面積が、上流部２１から膨張部２２に向かって急激に拡大しており、膨張部２２から下流部２３に向かって急激に縮小している。
【００１６】
排気パイプ２０は、当該排気パイプ２０の軸と胴部１１の軸が平行となるように、かつ、排気パイプ２０の外壁が胴部１１の内壁に当接しないように胴部１１の内部に収容される。底部１２の中心には排気パイプ２０の下流部２３の内径と同径の貫通孔３３が設けられており、排気パイプ２０の下流部２３の下流端２３ｂは、底部１２の貫通孔３３に胴部１１の内部側から固定されている。このため、胴部１１をベル３に固定したときにおいて、排気パイプ２０は、当該排気パイプ２０の内側の空間を介してベル３の内側の空間とベル３の外側の空間とを連通させ、ベル３内の呼気を消音器１外（トランペット外）の空間に導く役割を担う。また、排気パイプ２０の上流部２１の上流端２１ａは、胴部１１の小径側端１１ｂの端面の近傍に位置している。また、トランペットのベル３の内壁に胴部１１を固定したときに、排気パイプ２０の軸がベル３の軸と略平行となる。
【００１７】
本実施形態による消音器１では、胴部１１の内壁と底部１２の内壁と排気パイプ２０の外壁とから形成される空洞１３が第１の消音室として機能し、排気パイプ２０における膨張部２２が第２の消音室として機能する。すなわち、本実施形態による消音器１の特徴は、排気パイプ２０の内側の空間と連通する消音室（第２の消音室）を、排気パイプ２０に設けている点にある。そして、排気パイプ２０に設ける消音室（第２の消音室）は、排気パイプ２０の途中において排気パイプ２０内の断面積を拡大することにより形成してなるものである。つまり、排気パイプ２０に設ける消音室は、排気パイプ２０の外壁の一部を消音室の側面とし、貫通孔３１および３２以外が閉じられた空間である。
以上が、消音器１の構成である。
【００１８】
次に、本実施形態による消音器１をトランペットに装着して吹奏したときの呼気の流れおよび消音動作を説明する。胴部１１をベル３に固定すると、消音器１は、排気パイプ２０が固定されている貫通孔３３を残してベル３を閉塞する。トランペットのマウスピースから吹き込まれた呼気は、トランペット内を通過した後、消音器１の胴部１１の小径側端１１ｂから空洞１３に導入されるとともに、排気パイプ２０の上流部２１の上流端２１ａから排気パイプ２０内に導入されて排気パイプ２０内を通過して消音器１の外部の空間に排出される。このとき、排気パイプ２０の軸とベル３の軸とが略平行となっているため、排気パイプ２０内を通過する呼気と排気パイプ２０の内壁（特に内径が小さい上流部２１および下流部２３の内壁）との間の抵抗が少なく、排気パイプ２０内に導入された呼気は、排気パイプ２０内を滑らかに通過する。従って、消音器１をトランペットに装着して吹奏したときの息詰まり感がなく良好な吹奏感が得られる。
【００１９】
また、トランペットを吹奏することにより生じた音波は、胴部１１の内壁と底部１２の内壁と排気パイプ２０の外壁とからなる空洞１３に入るとともに、排気パイプ２０の上流部２１の上流端２１ａから排気パイプ２０内に入る。ここで、空洞１３は、胴部１１の小径側端１１ｂから大径側端１１ａに向かって断面積が次第に大きくなっている。このため、空洞１３内の音響インピーダンスは、胴部１１の軸に沿って次第に変化する。これにより、空洞１３内において小径側端１１ｂから大径側端１１ａへ向かって進行する音波の一部は、小径側端１１ｂと大径側端１１ａとの間の各位置において反射する。そして、小径側端１１ｂから大径側端１１ａへ向かって進行する音波と大径側端１１ａから小径側端１１ｂへ向かって進行する音波とが干渉し、音波のエネルギーが減少する。従って、空洞１３において音量が小さくなる。
【００２０】
また、排気パイプ２０に入った音波は、上流部２１内、膨張部２２内、下流部２３内の順に進行し、底部１２の貫通孔３３から消音器１の外部の空間に放射される。ここで、上流部２１と膨張部２２との境界および膨張部２２と下流部２３との境界では、排気パイプ２０の内壁により囲まれた断面積が急激に変化しているため、音響インピーダンスが変化する。このため、上流部２１と膨張部２２との境界において上流部２１から膨張部２２へ向かって進行する音波の一部が反射し、膨張部２２と下流部２３との境界において膨張部２２から下流部２３へ向かって進行する音波の一部が反射する。また、膨張部２２と下流部２３との境界において反射された音波の一部は、上流部２１と膨張部２２との境界においてさらに反射する。そして、膨張部２２内では、当該膨張部２２の上流端２２ａから下流端２２ｂへ進行する音波と下流端２２ｂから上流端２２ａへ進行する音波が干渉し、音波のエネルギーが減少する。従って、消音器１の外部の空間に放出される音の音量が小さくなる。
【００２１】
このように、本実施形態による消音器１は、胴部１１と貫通孔３３が設けられた底部１２からなる筐体と、両端が開口し、そのうちの一端が底部１２に設けられた貫通孔３３に固定され、ベル３の内側の空間とベル３の外側の空間とを連通させる中空の排気パイプ２０とを有し、排気パイプ２０の内側の空間と連通する消音室を排気パイプに設けている。また、排気パイプ２０に設けられた消音室として機能する膨張部２２は、排気パイプ２０内の断面積を拡大することにより形成している。また、消音器１をトランペットに装着したとき、排気パイプ２０の軸がベル３の軸と略平行となる。このため、呼気を滑らかに消音器１の外部の空間に排出することができ、かつ、胴部１１の内壁と底部１２の内壁と排気パイプ２０の外壁とからなる空洞１３に加え、排気パイプ２０における膨張部２２内において音波のエネルギーを減少させることができる。従って、息詰まり感が少なく良好な吹奏感を得つつ、消音器１の外部の空間に放出される音の音量をより小さくすることができ消音効果をより大きくすることができる。
【００２２】
＜第２実施形態＞
図２は、この発明の第２実施形態による消音器１Ａの構成を示す縦断面図である。本実施形態による消音器１Ａは、排気パイプ２０の膨張部２２の内壁に、例えばグラスウールなどの吸音材４０を設けた点において第１実施形態による消音器１と異なる。
【００２３】
消音器１Ａでは、排気パイプ２０の膨張部２２において上流端２２ａから下流端２２ｂに進行する音波のエネルギーの一部や膨張部２２の下流端２２ｂにおいて反射して下流端２２ｂから上流端２２ａに進行する音波のエネルギーの一部が膨張部２２の内壁に設けられた吸音材４０に吸収される。このため、膨張部２２における上流端２２ａから下流端２２ｂに進行する音波と下流端２２ｂから上流端２２ａに進行する音波の干渉に加え、吸音材４０により音波のエネルギーを吸収することができるため、消音器１の外部の空間に放出される音の音量をより小さくすることができ消音効果をより大きくすることができる。
【００２４】
なお、吸音材４０は、排気パイプ２０の上流部２１の内壁および下流部２３の内壁には設けないことが好ましい。上流部２１の内壁および下流部２３の内壁に吸音材４０を設けると呼気の流路が狭くなり息詰まり感が増すからである。
【００２５】
また、膨張部２２の内壁に吸音材４０を設ける態様に限られず、空洞１３を形成する胴部１１の内壁、底部１２の内壁および排気パイプ２０の外壁などに吸音材４０を設けても良いし、膨張部２２の内壁と、胴部１１の内壁、底部１２の内壁および排気パイプ２０の外壁のいずれにも吸音材４０を設けても良い。
【００２６】
＜第３実施形態＞
図３は、この発明の第３実施形態による消音器１Ｂの構成を示す透視斜視図である。図３は、消音器１Ｂをトランペットに装着した状態を示す。第１実施形態による消音器１は、第１の消音室として機能する空洞１３の中に第２の消音室として機能する排気パイプ２０の膨張部２２を配置していた。これに対して、本実施形態による消音器１Ｂは、第１の消音室の外に第２の消音室を配置したものである。
【００２７】
消音器１Ｂの筐体は、胴部５１と底部５２とから構成される。胴部５１は、円錐管状であり、後端である大径側端５１ａから前端である小径側端５１ｂに向かって外径および内径が直線的に小さくなっている。胴部５１の小径側端５１ｂは、円盤形状であり胴部５１の軸に垂直な面に平行している底部５２の縁に接合されて閉塞している。すなわち、底部５２は、前端である小径側端５１ｂを閉塞する閉塞部としての役割を果たす。胴部５１の大径側端５１ａは開口しており、大径側端５１ａの直径は、ベル３の端面の直径よりも小さくなっている。また、胴部５１の大径側端５１ａの外縁には、柔軟な素材からなる取り付け部５８が設けられている。消音器１Ｂは、後端である大径側端５１ａ側からベル３に挿入される。そして、大径側端５１ａの外縁に設けられた取り付け部５８がベル３の内壁に当接することにより、胴部５１は、ベル３の内壁に固定される。
【００２８】
底部５２の中心には貫通孔７３が設けられている。貫通孔７３の縁には、胴部５１の大径側端５１ａ方向に向かって貫通孔７３と同径の内径を有する円筒状のパイプ６３が固定されている。また、胴部５１の内部において胴部５１の軸方向の長さを３等分する位置近傍の各々に円盤状の隔壁５３および５４が胴部５１の軸に垂直に配置され、これら隔壁５３および５４の各々の縁が胴部５１の内壁に固定されている。また、これらの隔壁５３および５４の中心には各々貫通孔７１および７２が設けられている。隔壁５３の貫通孔７１には、パイプ６３と同一内径を有する円筒状のパイプ６１が挿通されて固定されており、隔壁５４の貫通孔７２には、パイプ６３と同一内径を有する円筒状のパイプ６２が挿通されて固定されている。これらのパイプ６１とパイプ６２の間およびパイプ６２とパイプ６３の間には各々間隙がある。また、パイプ６１の上流端６１ａは、胴部５１の大径側端５１ａの端面から外側（トランペットの内部方向）に突出している。また、パイプ６１〜６３の各々の軸は同一直線上にあり、消音器１Ｂをトランペットに装着したとき、パイプ６１〜６３の各々の軸がベル３の軸と略平行になる。また、消音器１Ｂをトランペットに装着したとき、隔壁５３がベル３の端面近傍に位置し、隔壁５３よりも底部５２方向に位置する各構成要素がベル３の端面よりも外側（前方側）に突出する。
【００２９】
本実施形態による消音器１Ｂでは、胴部５１の内壁と隔壁５３とパイプ６１の外壁とから形成される空洞５５が第１の消音室として機能し、胴部５１の内壁と隔壁５３と隔壁５４とパイプ６１の外壁とパイプ６２の外壁とから形成される空洞５６と、胴部５１の内壁と底部５２の内壁と隔壁５４とパイプ６２の外壁とパイプ６３の外壁とから形成される空洞５７が第２の消音室として機能する。従って、消音器１Ｂでは、第１の消音室の外部に第２の消音室が配置されている。そして、パイプ６１〜６３と空洞５６および５７は、トランペット内の呼気を消音器１Ｂの外部の空間に導いて排出する一連の排気パイプ６０として機能する。この排気パイプ６０では、排気パイプ６０の内壁により囲まれた断面積が、パイプ６１から空洞５６にかけてパイプ６１の内壁により囲まれた断面積から胴部５１の内壁により囲まれた断面積に急激に拡大しており、空洞５６からパイプ６２にかけて胴部５１の内壁により囲まれた断面積からパイプ６２の内壁により囲まれた断面積に急激に縮小している。また、排気パイプ６０の内壁により囲まれた断面積が、パイプ６２から空洞５７にかけてパイプ６２の内壁により囲まれた断面積から胴部５１の内壁により囲まれた断面積に急激に拡大しており、空洞５７からパイプ６３にかけて胴部５１の内壁により囲まれた断面積からパイプ６３の内壁により囲まれた断面積に急激に縮小している。すなわち、消音器１Ｂは、排気パイプ６０の途中において、排気パイプ６０内の断面積を拡大する（パイプ６１〜６３内の断面積に対して胴部５１内の断面積に拡大する）ことにより消音室（空洞５６および５７）を形成したものである。これらの断面積が急激に拡大および縮小している境界では音響インピーダンスが変化している。また、空洞５５は、大径側端５１ａから隔壁５３に向かって断面積が次第に小さくなっている。このため、空洞５５内の音響インピーダンスは、胴部５１の軸に沿って次第に変化する。また、排気パイプ６０は、筐体を構成する胴部５１の内部に収容されている。
以上が、消音器１Ｂの構成である。
【００３０】
次に、本実施形態による消音器１Ｂをトランペットに装着して吹奏したときの呼気の流れおよび消音動作を説明する。胴部５１をベル３に固定すると、消音器１Ｂは、排気パイプ６０が固定されている貫通孔７３を残してベル３を閉塞する。トランペットのマウスピースから吹き込まれた呼気は、トランペット内を通過した後、消音器１の胴部５１の大径側端５１ａから空洞５５に導入されるとともに、パイプ６１の上流端６１ａからパイプ６１内に導入される。そして、パイプ６１内に導入された呼気は、パイプ６１内、空洞５６、パイプ６２内、空洞５７、パイプ６３内の順に通過して消音器１Ｂの外部の空間に排出される。このとき、パイプ６１〜６３の各々の軸はベル３の軸と略平行となっているため、パイプ６１〜６３内の各々を通過する呼気とパイプ６１〜６３の各々の内壁との間の抵抗が少なく、パイプ６１〜６３内に導入された呼気は、パイプ６１〜６３内を滑らかに通過する。従って、消音器１Ｂをトランペットに装着して吹奏したときの息詰まり感がなく良好な吹奏感が得られる。
【００３１】
トランペットを吹奏することにより生じた音波のうち空洞５５に入った音波の一部は、音響インピーダンスが次第に変化している大径側端５１ａと隔壁５３との間の各位置において反射する。そして、大径側端５１ａから隔壁５３へ向かって進行する音波と隔壁５３から大径側端５１ａへ向かって進行する音波とが干渉し、音波のエネルギーが減少する。従って、空洞５５において音量が小さくなる。
【００３２】
また、トランペットを吹奏することにより生じた音波のうちパイプ６１に入った音波は、パイプ６１内、空洞５６、パイプ６２内、空洞５７、パイプ６３内の順に進行し、底部５２の貫通孔７３から消音器１Ｂの外部の空間に放射される。このとき、パイプ６１の下流端６１ｂと空洞５６の境界、空洞５６とパイプ６２の上流端６２ａの境界、パイプ６２の下流端６２ｂと空洞５７の境界、空洞５７とパイプ６３の上流端６３ａの境界では音響インピーダンスが変化しているため、これらの境界において進行する音波の一部が反射される。このため、空洞５６においてパイプ６１の下流端６１ｂ側からパイプ６２の上流端６２ａ側へ進行する音波とパイプ６２の上流端６２ａ側からパイプ６１の下流端６１ｂ側へ進行する音波が干渉して音波のエネルギーが減少するとともに、空洞５７においてパイプ６２の下流端６１ｂ側からパイプ６３の上流端６３ａ側へ進行する音波とパイプ６３の上流端６３ａ側からパイプ６２の下流端６２ｂ側へ進行する音波が干渉して音波のエネルギーが減少する。従って、消音器１Ｂの外部の空間に放出される音の音量が小さくなる。
【００３３】
本実施形態においても第１実施形態と同様の効果を奏する。
【００３４】
また、本実施形態による消音器１Ｂは、第１の消音室として機能する空洞５５の容積を十分に確保できる。このため、消音器１Ｂをトランペットに装着して吹奏したときの音程が消音器１Ｂをトランペットに装着しないで吹奏したときの音程からずれるのを少なくすることができる。
【００３５】
＜第４実施形態＞
図４は、この発明の第４実施形態による消音器１Ｃの構成を示す透視斜視図である。図４は、消音器１Ｃをトランペットに装着した状態を示す。本実施形態による消音器１Ｃは、パイプ６１〜６３に代えて排気パイプ８０とした点において第３実施形態による消音器１Ｂと異なる（図３参照）。
【００３６】
消音器１Ｃの排気パイプ８０は、隔壁５３の貫通孔７１と隔壁５４の貫通孔７２の両方に挿通されて固定されている円筒状のパイプである。また、排気パイプ８０の下流端８０ｂは底部５２の貫通孔７３の縁に固定されている。排気パイプ８０を取り囲むようにして、胴部５１の内壁と隔壁５３および５４と排気パイプ８０の外壁とにより空洞９１が形成され、胴部５１の内壁と底部５２の内壁と隔壁５４と排気パイプ８０の外壁とにより空洞９２が形成されている。空洞９１に面している排気パイプ８０の側面には、排気パイプ８０内の空間と空洞９１内の空間とを連通させる円形の貫通孔８１が複数設けられており、空洞９２に面している排気パイプ８０の側面には、排気パイプ８０内の空間と空洞９２内の空間とを連通させる円形の貫通孔８２が複数設けられている。なお、本実施形態による排気パイプ８０では、貫通孔８１の各々は同一径としており、貫通孔８２の各々は同一径としているが、これら貫通孔８１および８２の各々の径は同一径に限られない。
【００３７】
本実施形態による消音器１Ｃでは、排気パイプ８０を取り囲む仕切られた空間である空洞９１および９２が第２の消音室として機能する。すなわち、排気パイプ８０内の空間と消音室（第２の消音室）内の空間とが貫通孔８１および８２により連通している。このため、排気パイプ８０と貫通孔８１および８２と空洞９１および９２は、トランペット内の呼気を消音器１Ｃの外部の空間に導いて排出する一連の排気パイプとして機能する。
【００３８】
トランペットを吹奏することにより生じた音波のうち消音器１Ｃの排気パイプ８０に入った音波は、排気パイプ８０を通過して消音器１Ｃの外部の空間に放射される。このとき、貫通孔８１と空洞９１は、貫通孔８１の径と空洞９１の容積により決定される周波数で共鳴するヘルムホルツ共鳴器として機能し、貫通孔８２と空洞９２は、貫通孔８２の径と空洞９２の容積により決定される周波数で共鳴するヘルムホルツ共鳴器として機能する。このため、排気パイプ８０を通過する音波の音圧レベルは、貫通孔８１と空洞９１とによるヘルムホルツ共鳴周波数と貫通孔８２と空洞９２とによるヘルムホルツ共鳴周波数の各々の近傍において減衰する。従って、消音器１Ｃの外部の空間に放出される音の音量が小さくなる。
【００３９】
本実施形態においても第３実施形態と同様の効果を奏する。
【００４０】
＜他の実施形態＞
以上、この発明の第１〜４実施形態について説明したが、この発明には他にも実施形態が考えられる。例えば次の通りである。
【００４１】
（１）上記各実施形態では、トランペット用の消音器１〜１Ｃを例に説明したが、トランペット以外の管楽器に用いる消音器においても同様な消音器を設計することができるのは勿論である。
【００４２】
（２）上記第１実施形態では、排気パイプ２０に膨張部２２を１つ設けていた。しかし、排気パイプ２０に設ける膨張部２２は１つに限られず、排気パイプ２０に複数の膨張部２２を設けても良い。例えば、図５に示す消音器１Ｄのように、排気パイプ２００の上流部２１０と中流部２３０との間に第１の膨張部２２０を設け、中流部２３０と下流部２５０との間に第２の膨張部２４０を設けても良い。このとき、膨張部２２０および２４０は、共に上流部２１０、中流部２３０および下流部２５０の内径よりも大きな内径を有していれば良く、膨張部２２０と膨張部２４０が同寸法でなくても良い。排気パイプ２００の軸方向に複数の膨張部２２０および２４０を設けることで、膨張部２２０および２４０の両方において消音されるため、より消音効果が大きくなる。
【００４３】
（３）上記第１実施形態では、膨張部２２を有する排気パイプ２０の軸は直線状であった。しかし、排気パイプ２０は、その軸の途中で曲がっていても良い。図６に示す消音器１Ｅでは、排気パイプ３００の上流部３１０の軸が１８０度湾曲している。この排気パイプ３００の湾曲部３４０は、上流部３１０内を通過する呼気と上流部３１０の内壁との間の抵抗が大きくならない程度に大きく曲がっている。そして、底部１２の内壁近傍に配置された上流部３１０の上流端３１０ａから上流部３１０内に導入された呼気は、湾曲部３４０を滑らかに通過して消音器１Ｅの外部の空間に排出される。滑らかに通過するように呼気を導いているため、息詰まり感を少なくしつつ、消音効果を大きくすることができる。
【００４４】
（４）上記第４実施形態による消音器１Ｃは、第３実施形態による消音器１Ｂをヘルムホルツ共鳴による消音器にしたものである。これと同様に、第１実施形態による消音器１をヘルムホルツ共鳴による消音器にしても良い。図７は、第１実施形態による消音器１の排気パイプ２０を排気パイプ４００に代えた消音器１Ｆの構成を示す縦断面図である。消音器１Ｆの排気パイプ４００の途中において排気パイプを取り囲むようにして円筒体４３０により空洞４２０が形成されている。排気パイプ４００の側面には、排気パイプ４００内の空間と空洞４２０内の空間を連通する円形の貫通孔４１０が複数設けられている。排気パイプ４００を通過する音波の音圧レベルは、貫通孔４１０の径と空洞４２０の容積とによるヘルムホルツ共鳴周波数の近傍において減衰する。従って、第１実施形態と同様の効果を奏する。
【００４５】
（５）上記第１実施形態による消音器１は、中空の胴部１１と胴部１１の一端を閉塞する底部１２とからなる中空の筐体を有していた。しかし、消音器の筐体は中空でなくても良い。少なくとも消音室が設けられた排気パイプ２０を有していれば、当該消音室において消音されるからである。図８は、この変形例による消音器１Ｇの構成を示す縦断面図である。消音器１Ｇは、排気パイプ２０と筐体としての役割を果たす底部５００とから構成される。排気パイプ２０は、第１実施形態による消音器１の排気パイプ２０と同様である。底部５００は、円盤形状であり、底部５００の外縁には柔軟な素材からなる取り付け部５２０が設けられている。底部５００の中心には排気パイプ２０の下流部２３の内径と同径の貫通孔５１０が設けられており、底部５００の貫通孔５１０には、排気パイプ２０の下流部２３の下流端２３ｂが固定されている。消音器１Ｇは、排気パイプ２０側からベル３に挿入される。そして、底部５００の外縁に設けられた取り付け部５２０がベル３の内壁に当接することにより、底部５００は、ベル３の内壁に固定される。底部５００をベル３に固定すると、消音器１Ｇは、排気パイプ２０が固定されている貫通孔５１０を残してベル３を閉塞する。すなわち、ベル３の内側の空間とベル３の外側の空間とが、消音室として機能する膨張部２２が設けられた排気パイプ２０を介して連通する。このため、ベル３内に生じ、膨張部２２に入った音波のエネルギーは、膨張部２２内において減少する。また、消音器１Ｇでは、底部５００がベル３の内壁に固定されたとき、ベル３の内壁と底部５００の内壁と排気パイプ２０の外壁とからなる空洞５４０が形成される。この空洞５４０が第１の消音室として機能する。従って、第１実施形態による消音器１と同様の効果を奏する。
【００４６】
（６）第３および第４実施形態による消音器１Ｂおよび１Ｃにおいても上記第２実施形態による消音器１Ａと同様に、空洞５６、５７、９１および９２を形成する胴部５１、底部５２および隔壁５３および５４の各内壁に吸音材４０を設けることにより消音効果を大きくしても良い。
【００４７】
（７）上記第２実施形態では、膨張部２２の内壁に吸音材４０を設けることにより消音効果を大きくしていた。これに対して、膨張部２２などの消音室の内壁や外壁に防振材を設け、消音室の振動や共振を抑えることにより、消音効果を大きくしても良い。
【００４８】
（８）上記第３実施形態および第４実施形態では、第１の消音室の外部に第２の消音室が２つ配置されていた。しかし、第２の消音室の個数はこれに限られず、１つでも良いし、２よりも大きい複数であっても良い。
【００４９】
（９）上記第４実施形態における排気パイプ８０に設けられた貫通孔８１および８２の個数は、１または複数であれば良い。
【００５０】
（１０）上記各実施形態における排気パイプ２０、６０および８０の最小内径は、マウスピースの最小内径と同径以上であった。吹奏感をさらに良くするために、これらの排気パイプ２０、６０および８０の最小内径をさらに大きくしても良い。このとき、第２の消音室の断面積や容積を増加させることで消音効果が減少することを抑制するようにしても良い。
【００５１】
（１１）上記各実施形態の消音器１〜１Ｃにおいて、排気パイプ２０、６０および８０は、底部１２および５２の内側に配置されていた。しかし、排気パイプ２０、６０および８０は、底部１２および５２の貫通孔３３および７３を貫通して外部に突出していても良い。
【００５２】
（１２）第３および第４実施形態の消音器１Ｂおよび１Ｃにおいて、大径側端５１ａよりもさらにベル３の後端側方向（内側方向）にベル３の内壁に沿って胴部５１の内壁により囲まれた断面積が小さくなるように胴部５１を延長して、当該延長した胴部５１の外壁に取り付け部５８を設けても良い。
【符号の説明】
【００５３】
１，１Ａ，１Ｂ，１Ｃ…消音器、３…ベル、１１，５１…胴部、１１ａ，５１ａ…大径側端、１１ｂ，５１ｂ…小径側端、１２，５２，５００…底部、１３，５５，５６，５７，９１，９２，５４０…空洞、１４，５８，５２０…取り付け部、２０，６０，８０…排気パイプ、２１…上流部、２２…膨張部、２３…下流部、２１ａ，２２ａ，２３ａ，６１ａ，６２ａ，６３ａ，８０ａ…上流端、２１ｂ，２２ｂ，２３ｂ，６１ｂ，６２ｂ，６３ｂ，８０ｂ…下流端、３１，３２，３３，７１，７２，７３，８１，８２，５１０…貫通孔、４０…吸音材、５３，５４…隔壁、６１，６２，６３…パイプ。
【図１】
2015004755.tif 000003
【図２】
2015004755.tif 000004
【図３】
2015004755.tif 000005
【図４】
2015004755.tif 000006
【図５】
2015004755.tif 000007
【図６】
2015004755.tif 000008
【図７】
2015004755.tif 000009
【図８】
2015004755.tif 000010
【図９】
2015004755.tif 000011